(57)【特許請求の範囲】
【請求項１】
容器本体、バージンキャップ、及び、キャップを具備する容器であって、
容器本体は、内容物の注出口と係止部を有する首部、及び、胴部を備えるものであり、  バージンキャップは、前記係止部に係止されている係合部材、及び、該係合部材と切断用連結部を介して連結し、少なくとも前記注出口を被冠するバージンキャップ本体を備えるものであり、
キャップは、前記係合部材外周面又は前記係止部下方の首部外周面に形成された雄螺旋と螺合し得る雌螺旋と、該キャップ内に前記バージンキャップ本体を保持し得る保持部を備えるものであり、
未使用状態において、キャップの保持部がバージンキャップ本体を保持するのを防止するリングをさらに具備し、
該リングは、前記首部が貫通し得る開口と、前記保持部がバージンキャップ本体に形成された被保持部と接触するのを防止するスペーサとしての軸方向長さを有する筒状部とを備えており、
該リングは、キャップ下部に取り付けられるようにキャップを構成する外筒の内周面に嵌合する嵌合片をさらに備えるとともに、リングの前記筒状部は、その水平断面がキャップ下部と大略等しい外形輪郭形状に形成されていることを特徴とするバージンキャップ付き容器。
【請求項２】
キャップの前記保持部は、リングを外した状態においてキャップの螺着方向の回転による容器本体胴部側への移動により、バージンキャップ本体を保持し得るものであることを特徴とする請求項１に記載のバージンキャップ付き容器。
【請求項３】
バージンキャップの前記切断用連結部は、キャップ内にバージンキャップ本体を保持後、キャップの反螺着方向への回転により切断され得るものであることを特徴とする請求項２に記載のバージンキャップ付き容器。
【請求項４】
容器本体は、キャップ又はリングが取り付けられたキャップに対して螺着方向への回転限界を規制する回転限界規制部を備えることを特徴とする請求項１に記載のバージンキャップ付き容器。
【請求項５】
容器本体は、内容物を注出するポンプを備えるものであることを特徴とする請求項１に記載のバージンキャップ付き容器。
【請求項６】
容器本体は、内容物の注出通路に逆流防止弁を備えるものであることを特徴とする請求項１に記載のバージンキャップ付き容器。
【請求項７】
容器が化粧品用容器であることを特徴とする請求項１〜６のいずれか１項に記載のバージンキャップ付き容器。
【発明の詳細な説明】
【技術分野】
【０００１】
本発明は、バージンキャップ付き容器に関する。
【背景技術】
【０００２】
従来、各種容器は、生産者から消費者に渡る過程において、不正使用や異物混入等の虞があるため、その対策として、未開封であることや未使用であることが容易に判定できるようになった容器が数多く提案されている。
【０００３】
例えば、熱収縮フィルムでキャップ部や容器全体を包装した容器が知られており、現在も多く使用されている。しかしながら、熱収縮フィルムで包装した容器は、その包装に熱収縮性フィルムを必要とし、その包装にも手間が掛かる、さらに、必ずしも見栄えが良くない、使用開始時のフィルム取り外しに手間が掛かり煩わしい等の多くの問題点がある。
【０００４】
また、薄肉脆弱ブリッジをキャップに設け、薄肉脆弱ブリッジの破断の有無によって未開封であることが容易に判定できる容器が広く知られている（特許文献４，５参照）。この薄肉脆弱ブリッジは、キャップを開栓のために回転させると破断されるので、比較的簡単な構造でありながら、外観上未開封又は既開封を容易に判定できる点で有効なものである。しかしながら、破断後の薄肉脆弱ブリッジ痕がキャップ下端や容器本体首部に残存するため、外観や意匠性が重視される化粧料等の容器としては、採用されにくいという問題点がある。
【０００５】
また、未使用時に注出口を封止状態に保つ封止膜を使用開始時に開封して使用する容器が数多く提案され、さらに、未使用状態で不用意に開封できないように不正開封防止機構（開封防止部材）が付属したキャップ構造も知られている（特許文献２，４，７〜９参照）。しかしながら、注出口を封止状態に保つ封止膜をエアゾール容器や注出用ポンプ付き容器に適用するには困難な面がある。
【０００６】
特許文献１には、子供等の悪戯では容易に取り外すことができず、取り外しの必要がある場合には、簡単な操作で取り外しができるオーバーキャップ付きエアゾール容器について記載されている。しかしながら、該オーバーキャップは大人によって容易に取り外しできるものであるため、未開封又は既開封（未使用又は既使用）を容易に判定できるものではないという問題点がある。
【０００７】
特許文献４には、注出ポンプを備えた容器本体と蓋体（キャップ）を備えた容器において、容器本体に固着される下半部と注出ポンプの頭部を覆う上半部と該両部を連結する脆弱ブリッジとから構成される封緘キャップを蓋体と注出ポンプの間に設けることが記載されている。このポンプ付き容器によれば、封緘キャップの有無、脆弱ブリッジの破断の有無により、未開封又は既開封（未使用又は既使用）を容易に判定することができる、外観を未使用状態と使用状態において同じとすることができ、デザイン上の自由度を広げることができる、切断される脆弱ブリッジを目立たない位置に設定でき、美観をあまり損なわない等の有用な効果を得ることができる。
【０００８】
しかしながら、脆弱ブリッジ切断後の封緘キャップを廃棄する必要があるため廃棄の手間がかかる、脆弱ブリッジは、使用者が封緘キャプを把持して容易に切断されるように低強度に設定されているため、力の弱い子供等の悪戯などによっても不正切断される虞が大きい、脆弱ブリッジの切断痕として微小突部が封緘キャップ及び／又は容器本体首部に残存するため、手指接触による切り傷の虞がある等の問題点が本発明者によって認識された。
【先行技術文献】
【特許文献】
【０００９】
【特許文献１】特開2000-255608号公報
【特許文献２】特開2002-225894号公報
【特許文献３】特開2002-326644号公報
【特許文献４】特開2003-267410号公報
【特許文献５】特開2005-280799号公報
【特許文献６】特開2006-44781号公報
【特許文献７】特開2006-193202号公報
【特許文献８】国際公開第2007/126062号
【特許文献９】特開2011-162197号公報
【発明の概要】
【発明が解決しようとする課題】
【００１０】
本発明は、未開封又は既開封（未使用又は既使用）を容易に判定することができ、切断除去される封緘キャップ（バージンキャップ）本体を廃棄する手間を省略することができる容器を提供することを課題とする。
【課題を解決するための手段】
【００１１】
本発明は、容器の未開封乃至容器内容物の未使用を示すバージンキャップ本体を、容器本体首部に螺着されたキャップの回転により使用開始時に容易に取り外すことができるとともに、取り外したバージンキャップ本体をそのままキャップ内部に保持することができる容器である。容器が少なくとも次の（ａ）容器本体、（ｂ）バージンキャップ、及び、（ｃ）キャップを具備することにより、上記課題の解決が可能であることを見出したものである。
（ａ）容器本体は、内容物の注出口と係止部を有する首部、及び、胴部を備えるものである。
（ｂ）バージンキャップは、前記係止部に係止されている係合部材、及び、該係合部材と切断用連結部を介して連結し、少なくとも前記注出口を被冠するバージンキャップ本体を備えるものである。
（ｃ）キャップは、前記係合部材外周面又は前記係止部下方の首部外周面に形成された雄螺旋と螺合し得る雌螺旋と、該キャップ内に前記バージンキャップ本体を保持し得る保持部を備えるものである。
【００１２】
すなわち、本発明の主な構成は、次のとおりである。
（１）容器本体、バージンキャップ、及び、キャップを具備するバージンキャップ付き容器であって、
容器本体は、内容物の注出口と係止部を有する首部、及び、胴部を備えるものであり、
バージンキャップは、前記係止部に係止されている係合部材、及び、該係合部材と切断用連結部を介して連結し、少なくとも前記注出口を被冠するバージンキャップ本体を備えるものであり、
キャップは、前記係合部材外周面又は前記係止部下方の首部外周面に形成された雄螺旋と螺合し得る雌螺旋と、該キャップ内に前記バージンキャップ本体を保持し得る保持部を備えるものであり、
未使用状態において、キャップの保持部がバージンキャップ本体を保持するのを防止するリングをさらに具備し、
該リングは、前記首部が貫通し得る開口と、前記保持部がバージンキャップ本体に形成された被保持部と接触するのを防止するスペーサとしての軸方向長さを有する筒状部とを備えており、
該リングは、キャップ下部に取り付けられるようにキャップを構成する外筒の内周面に嵌合する嵌合片をさらに備えるとともに、リングの前記筒状部は、その水平断面がキャップ下部と大略等しい外形輪郭形状に形成されていることを特徴とするバージンキャップ付き容器。
（２）キャップの前記保持部は、リングを外した状態においてキャップの螺着方向の回転による容器本体胴部側への移動により、バージンキャップ本体を保持し得るものであることを特徴とする上記（１）に記載のバージンキャップ付き容器。
（３）バージンキャップの前記切断用連結部は、キャップ内にバージンキャップ本体を保持後、キャップの反螺着方向への回転により切断され得るものであることを特徴とする上記（２）に記載のバージンキャップ付き容器。
（４）容器本体は、キャップ又はリングが取り付けられたキャップに対して螺着方向への回転限界を規制する回転限界規制部を備えることを特徴とする上記（１）に記載のバージンキャップ付き容器。
（５）前記容器本体は、内容物を注出するポンプを備えるものであることを特徴とする上記（１）に記載のバージンキャップ付き容器。
（６）前記容器本体は、内容物の注出通路に逆流防止弁を備えるものであることを特徴とする上記（１）に記載のバージンキャップ付き容器。
（７）容器が化粧品用容器であることを特徴とする上記（１）〜（６）のいずれか１項に記載のバージンキャップ付き容器。
【発明の効果】
【００１３】
本発明は、上記のような特徴を具備することにより、次の（ア）〜（オ）に記載したような顕著な効果を奏することができる。
（ア）バージンキャップ本体の有無や切断用連結部の有無によって、容器の未開封又は既開封、容器内容物の未使用又は既使用を容易に判定することができる。
（イ）切断用連結部切断後のバージンキャップ本体は、キャップの内部に保持し得るので、廃棄する手間を省略することができる。
（ウ）キャップ内へのバージンキャップ本体の保持や切断用連結部の切断に、キャップの螺合回転を利用することができるので、切断用連結部の強度をある程度高くすることができる。そのため、子供等が未使用状態のバージンキャップ本体を悪戯して把持したとしても、切断用連結部が不正切断される虞を小さくすることができる。
（エ）切断用連結部の切断痕である微小突部等の連結部残滓を係合部材側に残存させず、バージンキャップ本体側に残存するようにできる。そのため、切断痕である微小突部等の連結部残滓は、キャップの内側に存在することになり、意匠性をほとんど低下させないし、また、手指の接触安全性もほとんど低下しない。
（オ）容器の外観を未使用状態と使用状態においてあまり変化しないようにすることができる。化粧用容器として適している。
【図面の簡単な説明】
【００１４】
【図１】実施例の未使用状態の容器を示す図面。（ａ）は平面図、（ｂ）は正面図である。
【図２】未使用状態の容器の正面図において、キャップ、バージンキャップ、及び、リングの断面を示す図面である。
【図３】容器本体を示す図面。（ａ）は平面図、（ｂ）は正面図である。
【図４】リングを示す図面。（ａ）は平面図、（ｂ）は（ａ）のＡ−Ａ断面図、（ｃ）は（ａ）のＢ−Ｂ断面図、（ｄ）は底面図である。
【図５】キャップを示す図面。（ａ）は平面図、（ｂ）は天板４１を分解して示す（ａ）のＡ−Ａ断面図、（Ｃ）は天板４１を分解して示す（ａ）のＢ−Ｂ断面図、（ｄ）は底面図である。
【図６】バージンキャップを示す図面。（ａ）は平面図、（ｂ）は正面図、（ｃ）は側断面図である。
【図７】実施例の使用開始後の容器を示す図面。（ａ）は平面図、（ｂ）は正面図である。
【図８】使用開始後の容器の正面図において、キャップ、及び、バージンキャップ（バージンキャップ本体と係合部材）の断面を示す図面である。
【図９】使用開始後の係合部材付き容器本体を示す図面。（ａ）は平面図、（ｂ）は正面図である。
【発明を実施するための形態】
【００１５】
本発明は、内容物が充填された容器本体の少なくとも注出口を被冠し、未開封状態乃至未使用状態であることを保証するバージンキャップが付属した容器であって、使用開始時にバージンキャップ本体を取り外し、注出口を露出可能とする際に、首部に着脱自在に設けられたキャップ内に取り外されたバージンキャップ本体を保持できるようにした容器に関する。
【００１６】
本発明のバージンキャップ付き容器は、少なくとも、次の（ａ）容器本体、（ｂ）バージンキャップ、及び、（ｃ）キャップを具備するものである。
（ａ）容器本体は、内容物の注出口と係止部を有する首部、及び、胴部を備えるものである。
（ｂ）バージンキャップは、前記係止部に係止されている係合部材、及び、該係合部材と切断用連結部を介して連結し、少なくとも前記注出口を被冠するバージンキャップ本体を備えるものである。
（ｃ）キャップは、前記係合部材外周面又は前記係止部下方の首部外周面に形成された雄螺旋と螺合し得る雌螺旋と、該キャップ内に前記バージンキャップ本体を保持し得る保持部を備えるものである。
【００１７】
キャップの前記保持部は、キャップの螺着方向の回転による容器本体胴部側への移動により、バージンキャップ本体に形成された被保持部に係合するように構成することが望ましい。また、バージンキャップの切断用連結部は、キャップ内保持部によるバージンキャップ本体の保持後、キャップの反螺着方向への回転により切断され得るように構成することが望ましい。これらのように構成すると、キャップの螺合回転を前記保持部によるバージンキャップ本体の保持や切断用連結部の切断に利用できるので、比較的大きな保持力や切断力を得ることができる。そのため、前記切断用連結部の強度を比較的高く設定できるので、バージンキャップ本体を把持した子供の悪戯や不用意な操作によってバージンキャップ本体が取り去られる可能性を小さくすることができる。
【００１８】
本発明のバージンキャップ付き容器は、未使用状態において前記キャップ内の保持部が前記バージンキャップ本体を誤って保持するのを防止するリングをさらに具備することにより、容器の未使用状態をより確実化することができる。リングは、未使用状態の容器に備えられ、螺合時のキャップの回転に伴うキャップの容器本体胴部側への軸方向移動を制限し、キャップ内の保持部がバージンキャップ本体に形成された被保持部と接触するのを防止する部材であって、例えば、前記円筒状の首部が貫通し得る開口と、前記保持部が前記被保持部と接触するのを防止するスペーサとしての軸方向長さを有する筒状部とを備えるものとすることができる。
【００１９】
容器がリングを具備しない場合には、バージンキャップ本体の被保持部がキャップ内の保持部により誤って保持され係合部材から取り外されないように、バージンキャップが首部に係止された容器本体とキャップとを別にしておくなどして、流通、展示する必要があるが、リングを具備する場合には、それら全てを組み付けた状態で流通、展示しても、キャップの螺合回転によるバージンキャップ本体の不用意な取り外しを防止することができる。
【００２０】
使用開始時には、リングは取り外され、キャップが容器本体の首部に螺着される。キャップのネジ止め方向（螺着方向）への回転に伴い、キャップ内の保持部は、キャップとともに容器本体胴部側へ軸方向移動し、バージンキャップ本体の被保持部と接触し、バージンキャップ本体はキャップ内に保持される。その後、キャップを開栓方向（反螺着方向）に回転する際に、バージンキャップ本体と係合部材とを連結する切断用連結部が切断され、それ以降は、バージンキャップ本体はキャップと一体的な部分として、係合部材は容器本体と一体的な部分として、それぞれ機能し、キャップを脱着することにより注出口を露出させて、内容物の注出利用が可能となる。
【００２１】
容器本体、バージンキャップ、キャップ、リングの材質は、特に限定するものではないが、一般的には、合成樹脂、金属、ガラス、それらの複合材料、複合体等が使用できる。  また、透明、不透明、一部透明、耐熱性、ガス不透過性等、内容物や用途や構成部品等に応じて、種々の物性のものを採用することができるし、さらに、構成部品等の表面の一部又は全体に塗膜、印字、印刷模様等を形成することもできる。一般的には、低比重による軽量性、多様な美的デザイン容器や機能性容器の成形容易性等の点で合成樹脂が好ましい。用いる合成樹脂は、限定されないが、内容物や用途や構成部品等に応じて、例えば、ポリプロピレン、ポリエチレン等のオレフィン系樹脂、ＰＥＴ等のポリエステル系樹脂、ＡＢＳ樹脂などを用いることができる。
【００２２】
容器本体に充填される内容物は、限定されないが、一般的には、液体、粒体、粉体、固液混合物、ペースト、冷凍物等であり、化粧料、洗剤、各種薬剤、飲料、食料等が例示できる。
【００２３】
以下では、本発明のバージンキャップ付き容器の各構成要素についてさらに説明する。
〔容器本体〕
本発明における容器本体は、少なくとも、注出口を有する首部と内容物の主な収容部である胴部とを備える。首部の直下の胴部との間に水平乃至下方に傾斜する肩部を備えることもできる。
【００２４】
首部は、上端面や上部側面等の上部に内容物の注出口と、注出口より下方の側面又は外周面にバージンキャップを抜け止め状態に係止し得る係止部とを少なくとも有する。バージンキャップの係合部材の外周面にキャップの雌螺旋に螺合する雄ネジ等の雄螺旋を形成しない場合には、前記係止部下方の首部外周面に雄ネジ等の雄螺旋を形成する。バージンキャップの係合部材の外周面にキャップの雌螺旋に螺合する雄ネジ等の雄螺旋を形成する場合には、係合部材が首部に対し回転しないように、該首部外周面に該係合部材用の回り止め部を形成する。係合部材外周面又は前記係止部下方の首部外周面に形成される雄螺旋は、連続するものが望ましいが、断続的に設けることもできるし、また、単条、多条のいずれとすることもできる。
【００２５】
首部の水平断面形状は、特に限定するものではないが、雄螺旋を形成する首部外周面、又は、雄螺旋が形成されている係合部材に当接する首部外周面は、円筒状とする必要がある。首部全体を円筒状とすると、首部全体の構造が簡素化するので、設計・製作上望ましい。
【００２６】
バージンキャップの係合部材を抜け止め状態に係止し得る係止部は、限定するものではないが、首部の側面又は外周面から外方に突出する突部、環状突条、周方向突条などとすることができる。該係合部材用の回り止め部は、限定するものではないが、円筒状首部の外周面から半径方向外方に突出する１個又は複数個の軸方向突条又は軸方向溝とすることができる。該軸方向溝は、前記環状突条を複数の周方向突条に分割するように形成されたものであると、抜け止めと回り止めの構造を簡素化できるので望ましい。
【００２７】
容器本体は、キャップ又はリングが装着されたキャップに対して螺着方向への回転限界を規制する回転限界規制部を備えることが好ましい。そのような回転限界規制部は、首部の基端部及び／又は肩部に形成され、前記基端部外周の接線に大略垂直な規制面を有する回転限界規制突部とすることができる。該規制面は、基端部外周の接線に垂直であることが最も好ましいが、該垂直な面に対し±４０度（好ましくは±２０度）の範囲内であれば許容し得る。前記基端部及び／又は肩部は、キャップ又はリングに形成された位置決め突部が前記規制面に対面しているときに、キャップやリングをその位置で保持するため、該位置決め突部の前記対面部と反対側の面に係合する部分を有することが好ましい。そのような係合する部分としては、該位置決め突部がその弾性変形により乗り越すことができる乗り越し突部とすることができる。
【００２８】
容器の胴部は、水平断面が、回転対称、回転非対称、円形断面、長円形断面、多角形（例えば、正方形、長方形、正五角形、正六角形等）断面、多角形の各辺が円弧状に膨出変形した多角形断面等、各種の形状・構造のものが採用できる。また、胴部の高さに応じて水平断面が徐々に変化し、垂直断面で見た外形輪郭が錐状、逆錐状、円弧状等であっても良いし、さらに、胴部の外径輪郭が螺旋状に変化するものであっても良い。
【００２９】
容器本体は、内容物注出用のポンプや、注出した内容物の容器内への逆流を防止する逆流防止弁を具備することができる。内容物注出用のポンプを設ける場合、限定するものではないが、首部上部の注出口周囲部分を上下移動や左右移動可能に構成し、その上下移動や左右移動によりポンプを作動するように構成することができる。
【００３０】
容器本体は、射出成形等により全体を単一工程で製造することができる外、複数の構成部品を相互に組み立て、接合することにより形成することもできる。容器の材質は、限定するものではないが、ポリプロピレン、ポリエチレン等のオレフィン系樹脂、ＰＥＴ、ＰＣＴＡ等の飽和ポリエステル系樹脂などの各種合成樹脂、ガラス等を挙げることができる。
【００３１】
〔バージンキャップ〕
バージンキャップは、容器本体首部側面又は外周面の係止部に係止される係合部材、及び、該係合部材と切断用連結部を介して連結し、少なくとも前記注出口を被冠し得るバージンキャップ本体を備えている。
【００３２】
係合部材は、容器本体首部の前記係止部に係止され、前記首部から容易には抜けない抜け止め状態とされる。そのため、係合部材とバージンキャップ本体とを連結している切断用連結部が切断されない限りにおいて、少なくとも注出口を被冠するバージンキャップ本体も同様の抜け止め状態となり、容器内容物は未使用状態が保証される。
【００３３】
係合部材を首部に対し抜け止め状態と同時に回り止め状態とすると、内部にバージンキャップ本体を一体的に保持したキャップを螺合回転して切断用連結部を切断する際に、キャップの回転による剪断力をも切断に利用することが可能となり得るし、また、キャップの雌螺旋と螺合する雄螺旋を係合部材の外周面に設けることができるので、設計・製作上好ましい。
【００３４】
係合部材を首部の側面又は外周面の係止部に対し抜け止め状態とする係合部としては、限定するものではないが、首部の側面又は外周面の周方向突条や環状突条と嵌合する周方向溝とすることができる。該係合部材用の回り止め部は、限定するものではないが、円筒状首部の外周面の１個又は複数個の軸方向突条又は軸方向溝と係合する軸方向溝又は軸方向突条とすることができる。該軸方向突条は、前記周方向溝を周方向に分割するように形成されたものであると、抜け止めと回り止めの構造を簡素化できるので望ましい。
【００３５】
バージンキャップ本体は、首部の上端面や上部側面等の首部上部に形成された注出口を含む首部を被冠し、キャップの保持部に保持されるものであればどのような形状、構造のものでも良いが、一般的には、天井壁と天井壁の外周から垂下する円筒、角筒等の筒状とすることができ、特に上端が閉じた円筒状とすると、設計・製作を容易化できるので望ましい。
【００３６】
バージンキャップ本体に形成される被保持部は、キャップ内の保持部に係合してバージンキャップ本体をキャップ内に保持し得るものであればどのような形状、構造であっても良いが、一般的には、天井壁直下で大径筒状部より上方の小径筒状部外周面に（好ましくは等間隔に）形成された複数（例えば、２〜１６個、好ましくは４〜１２個）の突部とすることができる。該突部は、キャップ内部の環状突部を乗り越え、該環状突部上方の縦溝に係合するように構成すると、キャップに対しバージンキャップ本体が抜け止めかつ回り止めとなるので好ましい。
【００３７】
係合部材とバージンキャップ本体とを連結する切断用連結部は、キャップ内にバージンキャップ本体を保持してキャップを開栓方向（反螺着方向）に回転する際に切断し得るものであれば、どのような形状、構造のものでも良いが、一般的には、連結部の長さより幅が細い脆弱ブリッジ、連続又は間欠の薄肉脆弱部等とすることができる。該切断用連結部は、その強度をあまり弱くすると、バージンキャップ本体を把持する子供の悪戯等によっても切断する虞が高くなるので、バージンキャップ本体を把持する大人によって簡単には切断できない程度とすることが望ましい。なお、大人がバージンキャップ本体を把持して比較的大きな力を掛けることにより切断用連結部を切断し、切断後のバージンキャップ本体を手で直接キャップ内に押し込んで保持されるようにすることもできる。
【００３８】
該切断用連結部は、切断後の微小突部等の連結部残滓がバージンキャップ本体側に残存し、係合部材側には残存しないように、係合部材側の端部を最も弱い脆弱部とすると、連結部残滓は、キャップの内側に存在することになり、意匠性をほとんど低下させないし、また、手指の接触安全性もほとんど低下しないので望ましい。
【００３９】
バージンキャップは、バージンキャップ本体、係合部材、及び、切断用連結部を一種類の材料で一体的に成形することができるし、また、バージンキャップ本体と係合部材とを二色成形等により複数種類の材料によって一体的に成形することもできるし、さらに、一種類又は複数種類の材料で分割成形後、組み立てるように構成することもできる。例えば、少なくともバージンキャップ本体を透明乃至半透明の材料で形成すると、それによる注出口の被冠状態では容器内容物が利用できないことを容易に視認、理解してもらえるため望ましい。
バージンキャップの材質は、限定するものではないが、ポリプロピレン等のオレフィン系樹脂を挙げることができる。
【００４０】
〔キャップ〕
キャップは、容器本体首部外周面又は容器本体首部に係止された係合部材外周面に形成された雄螺旋と螺合し得る雌螺旋と、バージンキャップ本体の被保持部に係合し、該バージンキャップ本体をキャップ内に保持する保持部を備えるものであり、前記雌螺旋の雄螺旋に対する螺合により容器本体の前記首部に着脱自在に取り付けられるように構成されている。
【００４１】
このようなキャップは、天板と、天板下面から垂下する円筒（内筒）と、該円筒（内筒）内周面に、前記雄螺旋と螺合する雌螺旋と、前記保持部とを少なくとも備えるものとすることができるが、さらに、デザイン性を高めるため、内筒の外側に天板外周端から垂下する外筒を備えることもできる。例えば、外筒を容器本体胴部と同様の外形輪郭とし、キャップから容器本体胴部にわたって巨視的に見て連続した外形輪郭とすることもできる。
【００４２】
前記保持部は、キャップ内にバージンキャップ本体を脱落しないように保持し得るものであれば、どのような形状、構造のものでも良いが、バージンキャップ本体の筒状部外周面の突部と係合する凹部乃至凹溝等とすることができる。その際、バージンキャップ本体をキャップに対し抜け止めかつ回り止め状態とするものが望ましい。
【００４３】
キャップは、容器本体首部に対し螺着方向に回転して取り付ける際に、回転限界を超えて回転しないように、また、その回転限界位置で保持されるように、容器本体首部又は容器本体肩部に形成された回転限界規制部と乗り越し突部との間の位置決め凹部に係合する位置決め突部を具備することが好ましい。
【００４４】
キャップは、射出成形等により全体を単一工程で製造することができる外、複数の構成部品を相互に組み立て、接合することにより形成することもできる。例えば、天板とそれ以外の部分、天板付き外筒とそれ以外の部分、などのように複数の構成部品の組み合わせにより構成することができる。キャップの材質としては、限定するものではないが、ポリプロピレン等の合成樹脂、ガラス、金属等が挙げられる。
【００４５】
〔リング〕
リングは、未使用状態の容器に備えられ、螺合時のキャップの回転によるキャップの容器本体胴部側への軸方向移動を制限し、キャップの保持部がバージンキャップ本体を保持するのを防止する。
【００４６】
そのような機能を奏するリングとしては、螺合したキャップと容器本体胴部又は肩部との間に介在し得る部材とすることができる。その形状や構造は限定されないが、美的外観上、円筒状の首部が貫通し得る開口と、キャップ下部や容器本体胴部上部と外観輪郭が略等しくスペーサとしての軸方向長さを有する筒状部とを備えるものが好ましい。
【００４７】
リングは、易切断結合部を介してキャップ下部（例えば、外筒下端面）又は容器本体（例えば、肩部上面）に結合するものとして構成し、未使用状態をより確実化することもできるが、キャップや容器本体と別体にすると、易切断結合部の切断痕が残存しないし、未使用容器の意匠設計上の自由度も増加するので好ましい。また、リングは、容器本体の未使用状態と使用状態とを区別できるものとして、キャップや容器本体と区別できる外観（例えば、異なる色彩）とすることが好ましい。
【００４８】
キャップや容器本体と別体とした場合のリングは、キャップと一体的に取り扱うことができれば、容器本体の首部への取り付けや取り外し等が容易化するので好ましい。キャップと一体的に取り扱えるようにするために、リングは、外周面がキャップ外筒の内周面に弾力的に圧接する嵌合片を備えることができる。該嵌合片は、全周に連続して形成することもできるが、材料節約の観点から、複数個（例えば、２〜６個）を周方向に所定間隔を空けて断続的に設けることもできる。
【００４９】
リングが一体的に保持されたキャップを容器本体の首部にネジ止め方向に回転して取り付ける際に、その回転限界を規制するため、リングは、容器本体の首部基端部等に形成された位置決め用凹部に係合し得る位置決め用突部を備えることが好ましい。
リングの材料としては、限定するものではないが、ＡＢＳ等の合成樹脂、ガラス、金属等が挙げられる。
【実施例】
【００５０】
以下、本発明の実施例に基づき本発明をさらに詳細に説明するが、本発明は、この実施例に限定されず、本発明の要旨を逸脱しない範囲で適宜設計変更可能であることは言うまでもない。
【００５１】
図１は、本実施例の未使用状態のバージンキャップ付き容器１を示しており、図１（ａ）は平面図、図１（ｂ）は正面図を示す。図２は、未使用状態の容器の正面図において、キャップ４、バージンキャップ５、及び、リング３の断面を示す図面である。
未使用状態の容器１は、容器本体２、リング３、キャップ４、及び、キャップ４内に装着されて外部から見えないバージンキャップ５を具備する。この実施例では、容器本体２の胴部２２、リング３、及び、キャップ４は、外形輪郭の水平断面形状がほぼ同一で、各辺が外方に円弧状に膨出変形した正方形状に形成されている。
【００５２】
＜容器本体２＞
図３は、本実施例の容器本体２を示しており、図３（ａ）は平面図、図３（ｂ）は正面図である。
本実施例の容器本体２は、円筒状の首部２１、その下方の胴部２２、首部２１と胴部２２とを接続する肩部２３を具備する。胴部２２の水平断面は、各辺が外方に円弧状に膨出した変形正方形状となっている。
【００５３】
円筒状の首部２１は、上部から順に、小円筒部２１ｃ、中円筒部２１ｄ、大円筒部２１ｅからなる。小円筒部２１ｃの上端部２１ａには、注出口２１ｂが、中円筒部２１ｄ下部には、径方向に突出する環状突条２５と、環状突条２５を複数の周方向突条に分割する縦溝２６が設けられている。大円筒部２１ｅの基端部乃至肩部２３上面には、等間隔に２個の乗り越し・回転限界規制部２７が設けられている。それぞれの乗り越し・回転限界規制部２７には、雄ネジ８のネジ止め回転方向（上方から見て時計回り方向）に順に乗り越し突部２７ａと回転限界規制突部２７ｂが設けられ、該突部２７ａ、２７ｂの間が位置決め用凹部２７ｃとして機能する。
【００５４】
本実施例の容器本体２は、詳しくは説明しないが、ポリプロピレン、ポリエチレン、飽和ポリエステル等の樹脂製部品を機能性、意匠性等の観点で組み合わせることにより形成されている。
【００５５】
＜リング３＞
図４は、本実施例のリングを示す。図４（ａ）は平面図、図４（ｂ）は（ａ）のＡ−Ａ断面図、図４（ｃ）は（ａ）のＢ−Ｂ断面図、図４（ｄ）は底面図である。
【００５６】
本実施例の容器本体２やキャップ４と別体に構成されたリング３は、キャップ４外筒４２の下端から連続して延長する外形輪郭を有する大径筒状部３１、大径筒状部３１の上端側に連接し、キャップ４外筒４２下部の内周面に嵌合する外周面を有する小径筒状部３２、大径筒状部３１の上端内側の水平板状部に形成され、容器本体２の首部２１が貫通し得る開口３４、キャップ４下部の位置合わせリブ４４〔図５（ｄ）参照〕に係合し、前記小径筒状部３２を軸方向に切り欠く位置合わせ切欠部３３、及び、前記水平板状部の下面に形成され、容器本体２の首部２１大円筒部２１ｅ基端乃至肩部２３上面に形成された位置決め用凹部２７ｃに係合し得る位置決め用突部３５を備えている。
位置合わせ切欠部３３と位置決め用突部３５とは、膨出変形した正方形状の対角線上の２箇所に設けられている。
【００５７】
リング３は、その位置合わせ切欠部３３がキャップ４下部の位置合わせリブ４４に係合し、かつ、小径筒状部３２がキャップ４外筒４２下部内周面に嵌合するため、リング３は、キャップ４下部に落下しないように保持され得る。そのため、容器本体２首部２１に対する取り付け、取り外しは、キャップ４とともに１工程で行うことができる。
【００５８】
＜キャップ４＞
図５は、本実施例のキャップ４を示す。図５（ａ）は平面図、図５（ｂ）は天板４１を分解して示す（ａ）のＡ−Ａ断面図、図５（Ｃ）は天板４１を分解して示す（ａ）のＢ−Ｂ断面図、図５（ｄ）は底面図である。
【００５９】
キャップ４は、天板４１とそれ以外の部分であるキャップ本体とで構成されている。キャップ本体は、外筒４２、外筒４２内にあり外筒と同芯の内筒４３、外筒４２と内筒４３とを接続する径方向の位置合わせリブ４４、位置合わせリブ４４の下端部で内筒４３側端の位置合わせ突部４５、内筒４３内面下部の雌ネジ４３ａ、内筒４３内面上部の環状突部４３ｂ、環状突部４３ｂ直上の内筒４３内面の多数の縦溝４３ｃを具備している。
【００６０】
天板４１の下面外周部から垂下する筒状部４１ａは、キャップ本体の外筒４２内面に位置合わせ嵌合されている。
位置合わせリブ４４と位置合わせ突部４５とは、水平断面が膨出変形した正方形状の対角線上の２箇所に設けられ、それぞれ、リング３の位置合わせ切欠部３３、容器本体２の位置決め凹部２７ｃに係合し得るように構成されている。
【００６１】
＜バージンキャップ５＞
図６は本実施例のバージンキャップ５を示す。図６（ａ）は平面図、図６（ｂ）は正面図、図６（ｃ）は側断面図である。
【００６２】
バージンキャップ５は、容器本体２首部２１上端の注出口２１ｂや小円筒部２１ｃ等を被冠し得るバージンキャップ本体６と、容器本体２首部２１の中円筒部２１ｄに係合される円筒状の係合部材７、バージンキャップ本体６と係合部材とを連結する切断用連結部６４を備えている。
【００６３】
バージンキャップ本体６は、円板状の天井壁６１、天井壁６１外周から垂下する小径筒状部６２、小径筒状部６２の下端に連接する大径筒状部６３を備え、小径筒状部６２上部外周面には、キャップ４内部の環状突部４３ｂを乗り越え、縦溝４３ｃに係合し得る８個の突部６２ａが等間隔に形成されている。該突部６２ａがキャップ４内部の環状突部４３ｂを乗り越え、縦溝４３ｃに係合した際には、バージンキャップ本体６は、キャップ４と一体化され、キャップとともに回転する。
【００６４】
係合部材７の外周面には、キャップ４の雌ネジ４３ａと螺合し得る雄ネジ８が、内周面には、容器本体２首部２１の環状突条２５と係合し得る周方向溝７１と、同首部２１の縦溝２６と係合し得る軸方向突条７２が形成されている。
切断用連結部６４は、周方向に８個等間隔に設けられた薄肉ブリッジで構成され、該薄肉ブリッジは、係合部材７側端部が切断されるように最脆弱部（最小断面積部）として形成されている。
【００６５】
＜未使用状態の容器１＞
未使用状態の容器本体２首部２１の小円筒部２１ｃ、中円筒部２１ｄには、バージンキャップ５が被冠され、中円筒部２１ｄ外周の環状突条２５と縦溝２６には、それぞれ、バージンキャップ５の係合部材７の周方向溝７１と軸方向突条７２に係合している。そのため、バージンキャップ５の係合部材７は、容器首部２１に対し抜け止めかつ回り止めの状態となっており、係合部材７と切断用連結部６４を介して連結しているバージンキャップ本体６も容器本体２首部２１に対し抜け止め状態となり、注出口２１ｂを含む首部２１小円筒部２１ｃ等を被冠している。そのため、キャップ４又はリング３が装着されたキャップ４を容器本体２首部２１から取り外しても、首部２１上端部２１ａの注出口２１ｂやその周辺の首部２１小円筒部２１ｃ等（注出用ポンプ作動部等）はバージンキャップ本体６に被冠されているので、内容物を注出口２１ｂから注出することができず、未使用状態乃至未開封状態が保証されている。
【００６６】
キャップ４には、その外筒４２下端にリング３を装着できるので、キャップ４とリング３とは、一体的に取り扱うことができる。キャップ４に対するリング３の装着は、キャップ４の外筒４２内にリング３の小径筒状部３２を嵌入するとともに、該小径筒状部３２に形成された位置合わせ切欠部３３にキャップ４内の位置合わせリブ４４下端部を挿入することによってなされる。小径筒状部３２の外周面とキャップ４外筒４２の内周面との嵌合は、嵌合時に両面が弾力的に圧接してリング３がキャップ４から脱落しないように、かつ、使用者によるリング３の脱着時には、大きな力を要せずリング３を取り外せるように、小径筒状部３２や外筒４２の寸法が設計されている。
【００６７】
このようにリング３が一体的に装着されたキャップ４は、内容物が充填され、バージンキャップ５が取り付けられた容器本体２の首部２１に被せられ、キャップ４の雌ネジ４３ａを係合部材７外周面の雄ネジ８に螺合させ、ネジ止め方向（螺着方向）に回転させる。キャップ４が螺着方向に所定回転し、リング３の位置決め突部３５が容器本体２の首部２１大円筒部２１ｅ乃至肩部２３の乗り越し突部２７ａを乗り越え、回転限界規制突部２７ｂに当接すると、それ以上螺着方向に回転できなくなり、前記位置決め突部３５は、乗り越し突部２７ａと回転限界規制突部２７ｂとの間の位置決め凹部２７ｃに保持され、キャップ４は、所定の弱い力ではネジ緩み方向（反螺着方向）への回転もできない状態に保持される。この状態のキャップ４は、螺着方向には回転できないが、反螺着方向には、強い力により位置決め突部３５が乗り越し突部２７ａの曲面を乗り越えて回転させることができる。
【００６８】
この状態では、リング３がキャップ４の外筒４２下端と容器本体２肩部２３との間に介在し、キャップ４の容器本体２胴部２２側への移動を制限するスペーサとして機能するため、キャップ４内の環状突部４３ｂと縦溝４３ｃはバージンキャップ本体６上部の突部６２ａと係合できず、バージンキャップ本体６は、キャップ４内に保持されない状態に維持されるので、上述のとおりの未使用状態乃至未開封状態が維持される。
【００６９】
本実施例の容器１は、上述のように、バージンキャップ５が取り付けられた未開封状態の容器本体２の首部２１に、リング３が一体的に装着されたキャップ４が組み付けられた状態で流通、展示等に供することができる。それ故、リング３が付属することや、バージンキャップ本体６が取り外されていないことを確認することにより、未開封状態乃至未使用状態であることを容易に知ることができる。
【００７０】
＜使用開始後の容器１＞
図７は本実施例の使用開始後の容器１を示す。図７（ａ）は平面図、図７（ｂ）は正面図である。図８は、使用開始後の容器の正面図において、キャップ４、及び、バージンキャップ５（バージンキャップ本体６と係合部材７）の断面を示す図面である。図９は、使用開始後の容器からキャップ４を取り外した係合部材７付き容器本体２を示す。図９（ａ）は平面図、図９（ｂ）は正面図である。
【００７１】
図１、図２に示される未使用状態の容器１を使用状態とするには、まず、リング３が一体的に装着されたキャップ４を開栓方向（反螺着方向）に回転し、容器本体２の首部２１から取り外す。次に、リング３が一体的に装着されたキャップ４からリング３を取り外した後、キャップ４を再び容器本体２の首部２１に被せ、首部２１中円筒部２１ｄに固定された係合部材７外周面の雄ネジ８とキャップ４の内筒４３内面の雌ネジ４３ａとを螺合させ、ネジ止め方向（螺着方向）にキャップ４を回転させる。その際、キャップ４は、前記螺合により容器本体２の胴部２２側へ軸方向移動するが、リング３が取り外されているため、キャップ４下部の位置決め突部４５が容器本体２の位置決め凹部２７ｃに係合するまで回転させることができ、同時に、より多く軸方向移動することができる。このようなキャップ４の容器本体２胴部２３側への軸方向移動に伴い、キャップ４の内筒４３内面の環状突部４３ｂは、バージンキャップ本体６上部の突部６２ａと接触し、さらに、該突部６２ａは、前記環状突部４３ｂを乗り越え、縦溝４３ｃと係合する。そのため、バージンキャップ本体６は、キャップ２に対し抜け止めかつ回り止め状態となる。
【００７２】
その状態で、キャップ４を再び開栓方向（反螺着方向）に回転すると、容器本体２首部２１に対し抜け止めかつ回り止めの状態となっている係合部材７に対し、バージンキャップ本体６がキャップ２とともに一体的に回転しようとするので、切断用連結部６４は、回転による剪断力と軸方向移動による引張力の両方の作用を受ける。そして、容器首部２１の係合部材７に対する係合力と、キャップ４のバージンキャップ本体６に対する保持力は、切断用連結部６４の切断に要する剪断力や引張力を上回るように設計されているので、切断用連結部６４は、キャップ４の反螺着方向の回転に伴って切断される。その際、切断用連結部６４としての薄肉ブリッジは、係合部材７側の端部が最小断面積（最脆弱）に形成されているので、係合部材７側には、美観上や接触安全上の支障となるような切断用連結部６４の突状残滓はほとんど残存しない。キャップ４内に保持されたバージンキャップ本体６の下端には、切断用連結部６４の突状残滓が残存するが、この突状残滓は、キャップ４の内方に存在するため、美観上や接触安全上の支障にほとんどならない。
【００７３】
このように、使用開始後の容器１においては、バージンキャップ本体６は、キャップ４内に保持されるので、以後は、キャップ４と一体的な部分として機能する。また、外周面に雄ネジ８を有する係合部材７は、容器本体２と一体的な部分として機能する（図９参照）。
使用開始後の容器１においては、キャップ２を反螺着方向に回転して容器本体２首部２１から取り外すだけで首部２１上端の注出口２１ｂを露出させることができ、容器本体２に内蔵されたポンプ等の適宜の手段によって内容物を注出することが可能となる。
【符号の説明】
【００７４】
１  容器 
２  容器本体
２１  首部
２１ａ  上端部
２１ｂ  注出口
２１ｃ  小円筒部
２１ｄ  中円胴部
２１ｅ  大円筒部
２２  胴部
２３  肩部
２５  環状突条（周方向突条、係止部）
２６  縦溝（回り止め部）
２７  乗り越し・回転限界規制部
２７ａ  乗り越し突部
２７ｂ  回転限界規制突部（回転限界規制部）
２７ｃ  位置決め凹部
３  リング
３１  大径筒状部（筒状部外形）
３２  小径筒状部（嵌合片）
３３  位置合わせ切欠部
３４  開口
３５  位置決め突部
４  キャップ
４１  天板
４１ａ  筒状部
４２  外筒
４３  内筒
４３ａ  雌ネジ（雌螺旋）
４３ｂ  環状突部（保持部）
４３ｃ  縦溝（保持部）
４４  位置合わせリブ
４５  位置決め突部
５  バージンキャップ
６  バージンキャップ本体
６１  天井壁
６２  小径筒状部
６２ａ  突部
６３  大径筒状部
６４  薄肉ブリッジ（切断用連結部）
７  係合部材
７１  周方向溝（係合部）
７２  軸方向突条（回り止め部）
８  雄ネジ（雄螺旋）
【要約】
【課題】内容物の注出用ポンプ付き容器等の各種容器に適用でき、未開封又は既開封（未使用又は既使用）を容易に判定することができ、切断除去されるバージンキャップ本体を廃棄する手間を省略でき、また、切断用連結部の強度を比較的高くすることができる容器を提供することを課題とする。
【解決手段】容器本体、バージンキャップ、及び、キャップを具備する容器であって、容器本体は、内容物の注出口と係止部を有する首部、及び、胴部を備えるものであり、バージンキャップは、前記係止部に係止されている係合部材、及び、該係合部材と切断用連結部を介して連結し、少なくとも前記注出口を被冠するバージンキャップ本体を備えるものであり、キャップは、前記係合部材外周面又は前記係止部下方の首部外周面に形成された雄螺旋と螺合し得る雌螺旋と、該キャップ内に前記バージンキャップ本体を保持し得る保持部を備えるものである。
【選択図】図２【図１】
0005204320.tif 000002
【図２】
0005204320.tif 000003
【図３】
0005204320.tif 000004
【図４】
0005204320.tif 000005
【図５】
0005204320.tif 000006
【図６】
0005204320.tif 000007
【図７】
0005204320.tif 000008
【図８】
0005204320.tif 000009
【図９】
0005204320.tif 000010